(57)【要約】      （修正有）【課題】口紅ケース１本だけで、いつでもどこでもきれいな鏡を見ながら口紅を塗る事ができる、鏡付き口紅ケースを提供する。【解決手段】口紅ケースのキャップをストッパー付きのスライド式二重構造にし、内側キャップ２に鏡３を四面貼り付けることにより、口紅本体７を引くと四面の鏡３が出てくるようにし、さらに外側キャップのストッパー４に汚れ防止用の布６を付けることにより、スライドする度に汚れが落ち、尚且つ細かいゴミの進入も防げ、いつもきれいな状態で鏡を見ながら口紅を塗る事ができるようにする。【選択図】図１
0003110553.tif 000002
【実用新案登録請求の範囲】
【請求項１】
口紅ケースのキャップをストッパー付きのスライド式二重構造にして、内側キャップに鏡を四面貼り付ける。
【請求項２】
外側キャップのストッパー部分に汚れ防止用の布などを付ける。
【考案の詳細な説明】
【技術分野】
【０００１】  本考案はキャップ部分をストッパー付きの二重構造にし、スライド式の鏡を付け、いつでもどこでも鏡を見ながら口紅を塗ることができ、更に汚れ防止にも配慮した口紅ケースに関するものである。
【背景技術】
【０００２】  従来は口紅ケースに鏡は付いていなかった。
【考案の開示】
【考案が解決しようとする課題】
【０００３】  口紅を塗る時は鏡が絶対必要であるが、従来のケースには鏡がないため、手鏡を使用したり、化粧室を探したりと、特に外出時などは大変不便であった。従って、口紅ケースに鏡を付けることにより前述の欠点を解決しようとするものである。
【課題を解決するための手段】
【０００４】  請求項１の考案は、口紅ケースのキャップ部分を二重構造にし、それぞれにストッパー４と５を設け、更に内側キャップ２に鏡３を四面貼り付けることによって、収納された口紅本体７を引き抜くと四面の鏡３がスライドされ出てくるようにする。それにより、鏡３を見ながら口紅が使用できるようになるのである。【０００５】  請求項２の考案は、外側キャップのストッパー４に眼鏡拭きなどの汚れ防止用の布６を付けることによってスライドする度に汚れも落ち、尚且つ、細かいゴミの進入も防げるよう、汚れ防止にも配慮するものである。
【考案の効果】
【０００６】  口紅ケースのキャップに鏡が付いているため手鏡が不要となり、使用時キャップも邪魔にならず、しかも汚れ防止用の布が付いている為、いつもきれいな状態で口紅を塗ることが出来る。特に外出時などは口もとチェックがいつでも可能となる。また、収納もコンパクトで化粧ポーチに入れてもかさばらず、使い勝手も良い。その上四面のため、テーブルに置いても転がらない。
【考案を実施するための最良の形態】
【０００７】  図１は、本考案の使用時の図である。同図に示すように、キャップを二重構造にして、外側キャップ１と内側キャップ２にそれぞれ互いが噛み合うような形のストッパー４と５を設け、さらに内側キャップ２に鏡３を四面貼り付けることにより、口紅本体７を引くと鏡３が出てくるようにする。【０００８】  さらに外側キャップのストッパー４に、汚れ防止として、眼鏡拭きなどの布６を付けることにより、スライドする度に鏡の汚れが落ち、尚且つ、細かいゴミの進入も防げるようにする。【０００９】  図２は、収納時の断面図である。鏡３が外側キャップ１にコンパクトに納められるため、かさばらない。【００１０】  図３は、従来の口紅ケースがスリムな場合、キャップをそのまま利用した時の断面図である。
従来のスリムなキャップ８に鏡３を四面貼り付け、裏側から内側ストッパー９を付けても良い。
【図面の簡単な説明】
【００１１】
【図１】  本考案のキャップ部分と口紅本体をしめす使用時の断面図である。
【図２】  本考案のキャップ部分と口紅本体をしめす収納時の断面図である。
【図３】  従来のスリムなキャップに本考案を取り入れた場合の収納時の断面図である。
【符号の説明】
【００１２】  １  外側キャップ
２  内側キャップ
３  鏡
４  外側キャップのストッパー
５  内側キャップのストッパー
６  汚れ防止用の布
７  口紅本体
８  従来のスリムなキャップ
９  鏡の裏から付けた内側ストッパー
【図１】
0003110553.tif 000003
【図２】
0003110553.tif 000004
【図３】
0003110553.tif 000005
【手続補正書】
【提出日】平成17年1月26日(2005.1.26)
【手続補正１】
【補正対象書類名】実用新案登録請求の範囲
【補正対象項目名】全文
【補正方法】変更
【補正の内容】
【実用新案登録請求の範囲】
【請求項１】
口紅ケースのキャップ部分をストッパー付きのスライド式二重構造にして、内側キャップの外側面に鏡を四面貼り付けたことを特徴とする鏡付き口紅ケース。
【請求項２】
口紅ケースのキャップ部分をストッパー付きのスライド式二重構造にして、内側キャップの外側面に鏡を四面貼り付け、且つ外側キャップに設けたストッパー部分に汚れ防止用の布などを付けたことを特徴とする鏡付き口紅ケース。
【手続補正２】
【補正対象書類名】明細書
【補正対象項目名】０００２
【補正方法】変更
【補正の内容】
【０００２】一般に広く使用されている従来の口紅ケースに鏡は付いていなかった。
【手続補正３】
【補正対象書類名】明細書
【補正対象項目名】０００４
【補正方法】変更
【補正の内容】
【０００４】請求項１の考案は、口紅ケースのキャップ部分をストッパー付きのスライド式二重構造にし、内側キャップの外側面に鏡を四面貼り付けた鏡付き口紅ケースを要旨とするものである。
【手続補正４】
【補正対象書類名】明細書
【補正対象項目名】０００５
【補正方法】変更
【補正の内容】
【０００５】請求項２の考案は、口紅ケースのキャップ部分をストッパー付きのスライド式二重構造にし、内側キャップの外側面に鏡を四面貼り付け、且つ外側キャップに設けたストッパー部分に汚れ防止用の布などを付けた鏡付き口紅ケースを要旨とするものである。
【手続補正５】
【補正対象書類名】明細書
【補正対象項目名】０００７
【補正方法】変更
【補正の内容】
【０００７】図１は、本考案の使用時の断面図である。同図に示すように、それぞれ枠の大きさが異なる角筒状のキャップを同じ方向に二ツ重ね合わせ、大きい角筒状である外側キャップ１の蓋上部と反対側のフチ内側に、突起物ストッパー４をフチ内側と一体的になるように設け、一方の小さい角筒状である内側キャップ２の蓋上部には突起物ストッパー５を外側方向に蓋上部と一体的に設けることにより、スライドした時、ストッパー４とストッパー５が互いに噛み合う形となって、外側キャップ１より引き出された内側キャップ２は外れることなく外側キャップ１に固定される。さらに、内側キャップ２の外側の四つの側面に鏡３を四面貼り付け、しっかり接着することにより、鏡３は内側キャップ２と一体化されることになる。そこで、口紅を使用する際、口紅本体７を外側キャップ１より引き出すと、内側キャップ２と一体化された四面の鏡３が外側キャップ１よりスライドされ出てくる。出てきた鏡３は前述の通り外側キャップ１に固定され外れない。従って、口紅本体７のみが取り出され、どの側面からでも鏡３を見ながらワンタッチで口紅を塗ることが可能となる。
【手続補正６】
【補正対象書類名】明細書
【補正対象項目名】０００８
【補正方法】変更
【補正の内容】
【０００８】さらに外側キャップのストッパー４に、眼鏡拭きなどのような汚れ防止効果の高い布６を鏡３と接する部分に付けることにより、スライドする度に鏡３の汚れが落ち、尚且つ、細かいゴミの進入も防ぐことができる。
【手続補正７】
【補正対象書類名】明細書
【補正対象項目名】００１１
【補正方法】変更
【補正の内容】
【００１１】
【図１】      本考案のキャップ部分と口紅本体をしめす使用時の断面図である。
【図２】      本考案のキャップ部分と口紅本体をしめす収納時の断面図である。
【図３】      従来のスリムなキャップに本考案を取り入れた場合の収納時の断面図である。
【図４】本考案のキャップ部分と口紅本体をしめす使用時の斜視図である。
【手続補正８】
【補正対象書類名】図面
【補正対象項目名】全図
【補正方法】変更
【補正の内容】
【図１】
0003110553.tif 000006
【図２】
0003110553.tif 000007
【図３】
0003110553.tif 000008
【図４】
0003110553.tif 000009